(57)【要約】      （修正有）【課題】パチスロ機の回収後もパチスロ機のキャビネットとして再利用可能としたパチスロ機用キャビネットを提供すること。【解決手段】底板２と、該底板２の両端部に上方へ向けて連設した左右側板３と、該左右側板３間に架設した天板４と、前記底板２、左右側板３及び天板４とで囲まれた空間の背後を閉鎖した背板と、で構成される、前面を開口とした箱形のパチスロ機用キャビネットにおいて、前記底板２に、底板２を貫通した嵌合孔を有する嵌合溝６を形成するとともに、取付孔を有する第１の板材７を前記嵌合溝６に着脱自在に嵌合させたことを特徴としており、これにより、ホールへの取り付けによって底板の取付孔が大きくなった場合でも、この取付孔を有する第１の板材を交換することで、出荷時と同一のキャビネットにし、パチスロ機のキャビネットとして再利用することが可能となる。【選択図】図２
0003139937.tif 000002
【実用新案登録請求の範囲】
【請求項１】
底板（２）と、該底板（２）の両端部に上方へ向けて連設した左右側板（３）と、該左右側板（３）間に架設した天板（４）と、前記底板（２）、左右側板（３）及び天板（４）とで囲まれた空間の背後を閉鎖した背板（５）と、で構成される、前面を開口とした箱形のパチスロ機用キャビネットにおいて、
前記底板（２）に、底板（２）を貫通した嵌合孔（６０１）を有する嵌合溝（６）を形成するとともに、取付孔（７０３）を有する第１の板材（７）を前記嵌合溝（６）に着脱自在に嵌合させた、ことを特徴とするパチスロ機用キャビネット。
【請求項２】
前記嵌合溝（６）は、前記底板（２）の幅方向に向いた左右側に前記底板（２）の奥行き方向に向けて形成した長溝であることを特徴とする請求項１に記載のパチスロ機用キャビネット。
【請求項３】
前記嵌合溝（６）は、底板（２）を貫通した嵌合孔（６０１）と該嵌合孔（６０１）の周辺に形成した段差部（６０２）を具備し、前記第１の板材（７）は、取付孔（７０３）を有するとともに前記嵌合孔（６０１）に嵌合可能な嵌合部（７０１）と前記段差部（６０２）上に載置される係止部（７０２）とを具備している、ことを特徴とする請求項１又は請求項２に記載のパチスロ機用キャビネット。
【考案の詳細な説明】
【技術分野】
【０００１】
本考案はパチスロ機用キャビネットに係り、より詳しくは、これを用いたパチスロ機を回収した後に再びパチスロ機のキャビネットとして再利用可能としたパチスロ機用キャビネットに関する。
【背景技術】
【０００２】
パチンコ型のスロットマシン（以下、「パチスロ
機」という）等の遊技機は一般に、前面が開口した箱形のキャビネット内に、複数のリールを備えたリール装置や、パチスロ
機を電気的に制御するための制御装置、多数枚数のメダルを収容するホッパー等のメダル払出装置などの装置本体が格納されている。
【０００３】
そして、装置本体を構成するリール装置、制御装置及びメダル払出装置に加えて、キャビネットに関しても、機種が異なっても同一の形状寸法となっているため、パチスロ機を回収した後に、使用していたキャビネトを他の機種に再利用できれば製造コストを下げることが可能である。
【０００４】
特に、パチスロ機は一般的に短期間で新機種と交換されるために、製造コストを抑えるために、機種によって形状寸法等が左右されないキャビネットを再利用可能とすることが望ましい。
【０００５】
しかしながら、パチスロ機は法規制によって改造、改良ができないところ、従来のパチスロ機では、ホールで使用した後は改良品とみなされてしまうため、これを再利用することができなかった。
【０００６】
即ち、パチスロ機は、予めキャビネットに形成してある取付孔を用いてホールに取り付けられるが、このとき、取付孔が大きくなってしまう。そうすると、この取付孔が大きくなったことにより出荷時とは異なったものと見なされ、これを新たなパチスロ機のキャビネットとして使用すると改造品のパチスロ機となってしまう。
【０００７】
そのために、従来のパチスロ機では、新機種を製造するたびごとにキャビネットも新たに製造する必要があり、これにより製造コストが上がってしまうという問題点があったが、従来はこのような問題点を解決するパチスロ機は提案されていなかった。
【０００８】
この点、パチスロ機の廃棄時にキャビネットを他の用途に再利用可能としたものは提案されているが、使用済みのキャビネットを再びパチスロ機のキャビネットとして使用可能としたパチスロ機は提案されていなかった。
【特許文献１】特開２００７−２１５６０７号公報
【特許文献１】特開２００６−１３６５８５号公報
【考案の開示】
【考案が解決しようとする課題】
【０００９】
そこで、本考案は、パチスロ機の回収後もパチスロ機のキャビネットとして再利用可能としたパチスロ機用キャビネットを提供することを課題としている。
【課題を解決するための手段】
【００１０】
本考案のパチスロ機用キャビネットは、底板と、該底板の両端部に上方へ向けて連設した左右側板と、該左右側板間に架設した天板と、前記底板、左右側板及び天板とで囲まれた空間の背後を閉鎖した背板と、で構成される、前面を開口した箱形のパチスロ機用キャビネットにおいて、
前記底板に、底板を貫通した嵌合孔を有する嵌合溝を形成するとともに、取付孔を有する第１の板材を前記嵌合溝に着脱自在に嵌合させた、ことを特徴としている。
【考案の効果】
【００１１】
本考案のパチスロ機用キャビネットでは、底板を貫通した嵌合孔を有する嵌合溝を底板に形成するとともに、取付孔を有する第１の板材を着脱自在にして嵌合溝に嵌合しており、第１の板材に形成した取付孔を介して、パチスロ機を取り付けることとしている。
【００１２】
そのため、ホールに取り付けることで取付孔が大きくなった場合でも、この取付孔を有する第１の板材を交換することで、出荷時と同一のキャビネットにすることができる。従って、本考案によれば、第１の板材を交換することのみで、一度使用したキャビネットを、同じくパチスロ機のキャビネットとして再利用することができ、これによりパチスロ機の製造コストを抑えることが可能である。
【考案を実施するための最良の形態】
【００１３】
本考案のパチスロ機用キャビネットは、底板と、この底板の両端部に上方へ向けて連設した左右側板と、この左右側板間に架設した天板と、前記底板、左右側板及び天板とで囲まれた空間の背後を閉鎖した背板とで構成されており、全体として、前面を開口した箱形としている。
【００１４】
また、前記底板には嵌合溝が形成されており、この嵌合溝は、底板の幅方向に向いた左右側に、底板の奥行き方向に向けて形成した長尺状としており、底板を貫通した嵌合孔と、この嵌合孔の周辺に形成した段差部を具備している。そして、この嵌合溝には第１の板材が着脱自在に嵌合しており、この第１の板材は、前記嵌合孔に嵌合した嵌合部と、前記段差部上に載置される係止部とを有し、前記嵌合部には、キャビネットをホールに固定するために用いる取付孔が形成されている。
【実施例１】
【００１５】
本考案のパチスロ機用キャビネットの実施例について図面を参照して説明すると、図１は、本実施例のパチスロ機用キャビネットの斜視図であり、また、図２は本実施例のパチスロ機用キャビネット１を分解して示した斜視図であり、図において１が本実施例のパチスロ機用キャビネットである。
【００１６】
そして、本実施例のパチスロ機用キャビネット１は、従来のパチスロ機と同様に、底板、左右側板、天板及び背板とで構成されている。即ち、図において２が底板であり、この底板２は略長方形状の板材により構成し、この底板２の両端にはそれぞれ、上方へ向けて側板３が連設されている。なお、底板３はそれぞれ、上方へ行くにつれて幅寸法が徐々に狭くなるように正面側の端部をテーパー状にしており、これにより、側面形状が略台形状になるようにしている。
【００１７】
次に、前記一対の側板３間には、取付孔４０１が形成された天板４が架設されており、前記底板２、左右側板３及び天板４とで囲まれた空間の背後は、背板５で閉鎖されている。そしてこれにより、前面を開口とした箱形の形状を一体形成している。
【００１８】
なお、図７は左側底板３と背板５との連結部分を説明するための図であり、本実施例のパチスロ機用キャビネット１では、底板２、側板３及び天板４の後方側に溝１４を形成し、この溝１４内に背板５の周縁部を嵌合させることにより全体を組み付けている。
【００１９】
次に、図３は前記底板２を分解して示した分解斜視図であり、図において、前記底板２の両端部近傍部分には嵌合溝６が形成されており、この嵌合溝６内にはそれぞれ、第１の板材７が着脱自在に嵌合されている。
【００２０】
ここで、前記嵌合溝６及び第１の板材７について説明すると、図４は、図３におけるＡ−Ａ線断面構造、即ち、嵌合溝６の近傍における縦断正面構造を示した断面図であり、前記嵌合溝６は、全体としてパチスロ機用キャビネット１の奥行き方向に向いた長孔状としており、前記底板２を貫通した嵌合孔６０１を有している。そして、この嵌合孔６０１の周囲には、前記底板２を厚さ寸法の１／３程度をくり抜いて形成した段差部６０２が形成されている。
【００２１】
一方、前記第１の板材７は、前記底板２と同等の厚さ寸法としており、前記嵌合孔６０２に嵌合可能な嵌合部７０１と、前記段差部６０２上に載置可能な係止部７０２とを、一体にして構成されているとともに、長手方向に沿って間隔を置いて、取付孔７０３が形成されている。
【００２２】
また、前記第１の板材７の長手方向に向いた両端側には、前記段差部６０２における嵌合溝６の長手方向に向いた両端側に形成したネジ孔とともに第１の板材７を前記嵌合溝６に嵌合させつつ取り付けるためのネジ孔７０４が形成されている。
【００２３】
そしてこれにより、前記前記取付孔７０３を介して、本実施例のパチスロ機用キャビネット１を用いたパチスロ機をホールの所定箇所に取り付けることができるとともに、取り付けによって前記取付孔７０３が出荷時よりも大きくなった場合でも、第１の板材７を交換することで、出荷時と同様の状態に戻すことが可能である。
【００２４】
なお、図において６０４は、第１の板材７を取り外す際に指等を入れるための空間であり、嵌合溝６の長手方向に向いた両端側において前記段差部６０２を幅方向に広げて形成している
【００２５】
次に、図３において８はメダル回収孔、図１において１０はメダル補給孔である。即ち、本実施例のパチスロ機用キャビネット１では、メダルの自動回収装置を備えているホールに取り付ける場合に備えて、前記底板２にはメダル回収孔８を形成し、前記背板５にはメダル補給孔１０を形成している。
【００２６】
そして、前記メダル回収孔８は、その上方を第２の板材９で閉鎖し、前記メダル補給孔１０は、その背面側を第３の板材１１で閉鎖している。また、前記第２の板材９は、ネジ等により、前記底板２に着脱自在に装着しており、第３の板材１１は、前記背板５に、ネジ等により着脱自在に装着している。
【００２７】
そのため、本実施例のパチスロ機用キャビネット１を用いたパチスロ機においては、前記第２の板材９及び第３の板材１１を取り外し、メダルの自動回収装置を備えているホールに取り付けた場合においても、回収後に前記第２の板材９及び第３の板材１１を再装着することで、出荷時と同じ状態に戻すことが可能である。
【００２８】
次に、図５は、前記天板４と左右側板３及び背板４との関係を説明するための図であり、図２からも明らかなように、本実施例のパチスロ機用キャビネット１では、天板４を着脱自在としている。即ち、本実施例のパチスロ機用キャビネット１では、前記左右側板３のそれぞれの内側の上部２箇所に第２の挿入孔３０２を側板３の厚み方向に向けて形成するとともに、この第２の挿入孔３０２内には受け側の取付金具１２を回動自在に挿装している。
【００２９】
また、側板３の上面には、前記第２の挿入孔３０２の方向に向けて第１の挿入孔３０１を形成し、前記第２の挿入孔３０２と第１の挿入孔３０１とを連通している。
【００３０】
一方、前記天板４において、天板４を前記一対の側板３間に架設した際に、前記第２の挿入孔３０２に対向する箇所に天板側挿入孔４０２を形成しており、この天板側挿入孔４０２には、前記受け側の取付金具１２に連結可能とした挿入側取付金具１３の基端部を挿装している。
【００３１】
ここで、図６は、前記受け側の取付金具１２と挿入側の取付金具１３とを拡大して示した図であり、図において挿入側の取付金具１３は、全体を略円柱状に形成しており、基端部１３０１の先端に胴部１３０２が連設され、この胴部１３０２の先端には、先端に向けてテーパー状に径を小さくした挿入部１３０３が連設され、更にこの挿入部１３０３の先端には、径を大きくしたストッパー部１３０４を連設して構成されている。
【００３２】
そして、本実施例においては、前記基端部１３０１を前記天板側挿入孔４０２内に挿装しており、この状態において天板４を前記一対の側板３間に架設した際に、胴部１３０２からストッパー部１３０４までが前記第１の挿入孔３０１内に挿装されつつ、挿入部１３０３及びストッパー部１３０４は、前記第２の挿入孔３０２側に突出するようにしている。
【００３３】
一方、前記受け側の取付金具１２は、その内部に前記受け側の取付金具１２における挿入部１３０３及びストッパー部１３０４を受け入れることが可能な受入孔１２０１を有しているとともに、この受入孔１２０１には、前記挿入部１３０３の下端部分のみが通過可能な通過溝１２０２が形成されている。
【００３４】
そのため、受入孔１２０１内に前記挿入側取付金具１３の挿入部１３０３及びストッパー部１３０４を受け入れた状態で受け側の取付金具１２を回転し、これにより通過溝１２０２内に前記挿入部１３０３の先端部分を嵌め込むことで、受け側の取付金具１２と挿入側の取付金具１３とを連結することが可能となり、その一方、この連結した状態において、受け側の取付金具１２を前記と逆に回転して前記挿入部１３０３の下端部分を通過溝１２０２内から外すことで、受け側の取付金具１２に対して挿入側の取付金具１３を取り外すことを可能としている。従って本実施例のパチスロ機用キャビネット１では、これにより、左右側板３に対して天板４を着脱自在としている。
【００３５】
次に、本実施例のパチスロ機用キャビネット１の作用について説明すると、本実施例のパチスロ機用キャビネット１を用いたパチスロ機をホールに取り付けるときには、第１の板材７に形成した取付孔７０３を介して、及び、適宜、天板４に形成された取付孔４０１を介してネジ等により、本実施例のパチスロ機用キャビネット１をホールにおける所定箇所に取り付ける。またメダルの自動回収装置を備えているホールにおいては、第２の板材９及び第３の板材１１を取り外して、メダル回収孔８及びメダル補給孔１０を開放する。
【００３６】
そして、機種交換等で本実施例のパチスロ機用キャビネット１を用いたパチスロ機を取り外して回収した後に、この取り外したパチスロ機用キャビネット１を他の機種のパチスロ機に使用する場合には、ホールへの取り付けにより取付孔７０３が大きくなっている前記第１の板材７を新しい板材と交換する。
【００３７】
また、メダルの自動回収装置を備えているホールにおいて、第２の板材９及び第３の板材１１を取り外して、メダル回収孔８及びメダル補給孔１０を開放して使用した場合には、第２の板材９及び第３の板材１１を再装着する。
【００３８】
そうすると、出荷時と同じ状態に戻すことができ、これにより、他の機種のパチスロ機のキャビネットとして再利用することができる。
【００３９】
このように、本実施例のパチスロ機用キャビネット１では、これを使用したパチスロ機の回収後は、同じくパチスロ機のキャビネットとして再利用することができるため、パチスロ機の製造コストを抑えることが可能である。
【００４０】
なお、本考案のパチスロ機用キャビネット１では、底板２に嵌合溝６を形成するとともに、この嵌合溝６に第１の板材７を着脱自在にして嵌合させた点を特徴としているために、必ずしも、前記底板２に着脱自在に装着した第２の板材で前記メダル回収孔８の上方を閉鎖し、及び、前記背板５に着脱自在に装着した第３の板材１１で前記メダル補給孔１０の背面側を閉鎖する必要はなく、また、天板４に関しても、必ずしも着脱自在にする必要はない。
【００４１】
その一方、前述した天板の着脱方法と同様にして、底板２の全体を左右側板３及び背板４に対して着脱自在にしてもよい。
【産業上の利用可能性】
【００４２】
本考案のパチスロ機用キャビネットは、パチスロ機の回収後に同じ目的に再利用可能としているため、出荷時の状態を維持してなければ改造品と見なされる遊技機のキャビネットの全般に適用可能である。
【図面の簡単な説明】
【００４３】
【図１】本考案のパチスロ機用キャビネットの実施例の斜視図である。
【図２】本考案のパチスロ機用キャビネットの実施例の分解斜視図である。
【図３】本考案のパチスロ機用キャビネットの実施例における底板の分解図である。
【図４】本考案のパチスロ機用キャビネットの実施例における底板の構造を説明するための図である。
【図５】本考案のパチスロ機用キャビネットの実施例における天板を説明するための図である。
【図６】本考案のパチスロ機用キャビネットの実施例において天板と左右側板を着脱自在に連結するための取付金具を説明するための図である。
【図７】本考案のパチスロ機用キャビネットの実施例における底板、左右側板、背板及び天板の組み付け方法を説明するための図である。
【符号の説明】
【００４４】
１    パチスロ機用キャビネット
２    底板
３    側板
３０１    第１の挿入孔
３０２    第２の挿入孔
４    天板
４０１    取付孔
４０２    天板側挿入孔
５    背板
６    嵌合溝
６０１    嵌合孔
６０２    段差部
６０４    取り外し用の空間
７    第１の板材
７０１    嵌合部
７０２    係止部
７０３    取付孔
７０４    ネジ孔
８    メダル回収孔
９    第２の板材
１０    メダル補給孔
１１    第３の板材
１２    受け側の取付金具
１２０１    受入孔
１２０２    通過溝
１３    挿入側の取付金具
１３０１    基端部
１３０２    胴部
１３０３    挿入部
１３０４    ストッパー部
１４    組み付け用の溝
【図１】
0003139937.tif 000003
【図２】
0003139937.tif 000004
【図３】
0003139937.tif 000005
【図４】
0003139937.tif 000006
【図５】
0003139937.tif 000007
【図６】
0003139937.tif 000008
【図７】
0003139937.tif 000009